(57)【要約】【課題】外部接続機器が電源ＯＦＦ状態でもそのプログラムアップデート通知を可能にした無線通信端末を提供する。【解決手段】無線通信端末１で受信したプログラムアップデート通知に対して、判別部１８で無線通信端末１自身に対するものか外部接続機器２に対するものかを判別し、外部接続機器２に対するプログラムアップデート通知であることを判別したとき、外部接続機器用プログラムアップデート通知部２０から外部接続機器２へプログラムアップデート通知を送信し、一方、判別部１８が無線通信端末１自身に対するものであると判別した場合は、これまでと同様に端末用プログラムアップデート処理部１９で処理動作を行う。【選択図】図１
2010011013.tif 000002
【特許請求の範囲】
【請求項１】
電源の供給を受けるように外部接続機器に接続され、それ自身のプログラムアップデート通知を受信したとき処理動作を行う端末用プログラムアップデート処理部を有した無線通信端末において、受信したプログラムアップデート通知が無線通信端末に対するものか前記外部接続機器に対するものかを判別する判別部と、この判別部が前記外部接続機器に対するものであることを判別したとき前記外部接続機器にプログラムアップデート通知を通知する外部接続機器用プログラムアップデート通知部とを設け、前記判別部が無線通信端末自身に対するものであることを判別したとき前記端末用プログラムアップデート処理部による処理動作を行うようにしたことを特徴とする無線通信端末。
【発明の詳細な説明】
【技術分野】
【０００１】
本発明は、種々の外部接続機器に接続されて使用する無線通信端末に関する。
【背景技術】
【０００２】
最近、ＣＤＭＡ方式を用いた無線通信端末と接続して使用される種々の外部接続機器が開発されている（例えば、特許文献１を参照）が、それらの出荷後または設置後にプログラムアップデートを無線区間経由で実施することが多い。これに対して従来の無線通信端末自体には、ショートメール等を用いたプログラムアップデート処理機能が付加されており、アップデート対象が電源ＯＦＦ状態であってもプログラムアップデート通知が可能な設計になっている。しかし、このショートメールを用いたプログラムアップデート通知は無線通信端末用であり、このプログラムアップデート処理機能を外部接続機器が利用することはできない。このため、外部接続機器のプログラムを無線でアップデートする際、無線通信端末経由で外部接続機器が着信するようにしてそのプログラムアップデート処理機能を作動している。
【特許文献１】特開２００６−２２２４９１号公報
【発明の開示】
【発明が解決しようとする課題】
【０００３】
しかしながら、従来の無線通信端末は、上述したように自身のプログラムアップデート処理機能で外部接続機器のプログラムアップデートを行うことができないので、無線通信端末経由で外部接続機器が着信するようにしていたため、外部接続機器が電源ＯＦＦ状態では着信が実施できず、この場合はプログラムアップデートを通知することができなかった。
【０００４】
そこで本発明の目的は、外部接続機器が電源ＯＦＦ状態でもそのプログラムアップデート通知を可能にした無線通信端末を提供することにある。
【課題を解決するための手段】
【０００５】
本発明は上記目的を達成するために、電源の供給を受けるように外部接続機器に接続され、それ自身のプログラムアップデート通知を受信したとき処理動作を行う端末用プログラムアップデート処理部を有した無線通信端末において、受信したプログラムアップデート通知が無線通信端末に対するものか前記外部接続機器に対するものかを判別する判別部と、この判別部が前記外部接続機器に対するものであることを判別したとき前記外部接続機器にプログラムアップデート通知を通知する外部接続機器用プログラムアップデート通知部とを設け、前記判別部が無線通信端末自身に対するものであることを判別したとき前記端末用プログラムアップデート処理部による処理動作を行うようにしたことを特徴とする。
【発明の効果】
【０００６】
本発明による無線通信端末は、外部接続機器に対するプログラムアップデート処理を行う場合、従来のように接続先サーバから無線通信端末経由で外部接続機器が着信したときに行うのではなく、無線通信端末で外部接続機器に対するプログラムアップデート通知も受信するようにし、その判別部で外部接続機器に対するものかを判別し、この判別があったとき、無線通信端末の外部接続機器用プログラムアップデート通知部から外部接続機器へプログラムアップデート通知をすることができるようにしているため、周知の手法で外部接続機器が電源ＯＦＦ状態であっても外部接続機器に対するプログラムアップデート通知を行わせることができるようになる。
【発明を実施するための最良の形態】
【０００７】
以下、本発明の最良の実施の形態を図面に基づいて説明する。
図１は、本発明の一実施の形態による無線通信端末を示す機能ブロック構成図である。
無線通信端末１は、無線信号を送受信するアンテナ１１と、通信データを無線信号に変換してアンテナ１１より送信する送信部１２と、アンテナ１１により受信した無線信号を変換して通信データを得る受信部１３と、プログラムや受信データ等を記憶する記憶部１４と、無線通信端末１における電源投入状態や電波状態等の状態表示を行う表示部１５と、後述する外部接続機器２の入出力部との間でデータ通信を行う入出力部１６と、上述した各部１２〜１６を制御する制御部１７とを有して構成している。この制御部１７には、受信データがプログラムアップデート通知であった場合、無線通信端末１に対するものか外部接続機器２に対するものかを判別する判別部１８と、この判別部１８が受信したショートメールが無線通信端末１に対するプログラムアップデート通知であると判別した場合、従来の場合と同様にそれ自身のプログラムアップデート処理を行う端末用プログラムアップデート処理部１９と、判別部１８が外部接続機器２に対するプログラムアップデート通知であると判別した場合に、外部接続機器２にプログラムアップデートを通知する外部接続機器用プログラムアップデート通知部２０とが付加されている。
【０００８】
外部接続機器２は、無線通信端末１に動作電力を供給する電源部２１と、無線通信端末１の入出力部１６との間でデータ通信を行う入出力部２２と、プログラムや通信データ等を記憶する記憶部２３と、各種情報を利用者に提示する表示部２４と、利用者から操作指示を受け付けるボタンやタッチパネルなどの操作部２５と、上述した各部２２〜２５の動作を制御する制御部２６とを有して構成している。この制御部２６には、外部接続機器用プログラムアップデート通知部２０から外部接続機器２に対するプログラムアップデート通知を受けた場合、そのプログラムアップデート処理を行う外部接続機器用プログラムアップデート処理部２７を有している。
【０００９】
図２は、上述した無線通信端末を用いた通信システムの概略構成を示すブロック図である。
接続先サーバ４はインターネット回線５に接続されており、インターネット回線５に接続した基地局６と無線通信端末１との間は、例えばＷ−ＣＤＭＡ方式等の無線７で通信を行い、無線通信端末１と自動販売機などの外部接続機器２との間はインターフェース手段３を用いて有線で通信を行っている。このインターフェース手段３としては、ＲＳ−２３２Ｃの他に、ＵＳＢ（Ｕｎｉｖｅｒｓａ１  Ｓｅｒｉａ１  Ｂｕｓ）等の他のインターフェース手段を用いてもよい。また無線通信端末１は、外部接続機器２の電源部２１からの電力供給を受けて動作している。
【００１０】
接続先サーバ４は、ショートメール等を用いたプログラムアップデート通知を無線端末装置１に送信するが、ここでは、プログラムアップデート通知のショートメールのメッセージ内容として二種類を準備している。つまり、第一のメッセージ内容のプログラムアップデート通知としては無線通信端末１に対するプログラムアップデートを通知するものであり、第二のメッセージ内容のプログラムアップデート通知としては外部接続機器２に対するプログラムアップデートを通知するものである。
【００１１】
無線通信端末１には既存の端末用プログラムアップデート処理部１９が構成されており、接続先サーバ４から受信したプログラムアップデート通知が無線通信端末１自身に対するプログラムアップデートを通知する第一のメッセージ内容であった場合、この端末用プログラムアップデート処理部１９によりプログラムアップデート処理を行う。一方、第二のメッセージ内容であった場合、外部接続機器用プログラムアップデート通知部２０から外部接続機器２に対してプログラムアップデートであることを通知する。無線通信端末１と外部接続機器２との間のコマンドは、全て独自方式をとっており、プログラムアップデート通知は無線通信端末１からの設定で外部接続機器２のＯＦＦ／ＯＮが可能なものとし、従来型のＡＴコマンドによる着信との互換性を保っている。
【００１２】
次に、プログラムアップデートを行う場合の処理動作を図３に示したフローチャートを用いて説明する。
先ず、接続先サーバ４からショートメールを用いたプログラムアップデート通知を無線端末装置１に送信する。このプログラムアップデート通知を無線通信端末１のアンテナ１１で受信すると、受信部１３を介して制御部１７では、ステップＳ１でショートメールのメッセージ内容を確認してプログラムアップデート通知のショートメールであるか否かの判断を行う。この判断結果、プログラムアップデートのショートメールの場合、判別部１８は、ステップＳ２で無線通信端末１に対する第一のメッセージ内容のプログラムアップデート通知か、外部接続機器２に対する第二のメッセージ内容のプログラムアップデート通知かを判別する。
【００１３】
この判別の結果、無線通信端末１に対する第一のメッセージ内容のプログラムアップデート通知であった場合、ステップＳ３で端末用プログラムアップデート処理部１９によりこれまでと同様のプログラムアップデート処理を行う。しかし、判定の結果が外部接続機器２に対する第二のメッセージ内容のプログラムアップデート通知であった場合、ステップＳ４で外部接続機器用プログラムアップデート通知部１９は、シーケンスの最初でプログラムアップデート通知であることを入出力部１６からシリアル接続された外部接続機器２の入出力部２２に出力する。
【００１４】
外部接続機器２の制御部２６がプログラムアップデート通知を受信したことを判定すると、無線通信端末１に対してプログラムアップデート通信を受信したことを通知する信号、例えばＯＫ信号を返信する。無線通信端末１の外部接続機器用プログラムアップデート通知部１９から外部接続機器２へのプログラムアップデート通知に対して、ステップＳ５の判定で無線通信端末１が外部接続機器２からのＯＫ信号を所定時間内に受信したと判定した場合、ステップＳ６で無線通信端末１は接続先サーバ４に対して呼設定受付を示す信号、例えばＣＡＬＬＰＲＯＣ信号を返す。これに前後して、無線通信端末１はステップＳ７で記憶部１４から外部接続機器２に対する第二のメッセージ内容のプログラムアップデート通知であるショートメールを取り出し、これを外部接続機器２へ送信する。これを受信した外部接続機器２では、従来の場合と同様に外部接続機器用プログラムアップデート処理部２７が作動して外部接続機器２自身に対してプログラムアップデート処理を行う。
【００１５】
しかし、ステップＳ５の判定で、外部接続機器２からのＯＫ信号が無線通信端末１に返信されなかった場合は、ステップＳ８で無線通信端末１は接続先サーバ４に対してＣＡＬＬＰＲＯＣ信号を返さないなどしてショートメール着信を失敗させる。ステップＳ１の判定で、無線端末装置１がその他の信号を接続先サーバ４から受信したと判定した場合は、ステップＳ９でこれまでと同様の処理を行う。
【００１６】
このように外部接続機器２に対するプログラムアップデート処理を行う場合、従来のように接続先サーバ４から無線通信端末１経由で外部接続機器２が直接着信したときに行うのではなく、無線通信端末１および外部接続機器２のいずれに対するプログラムアップデート処理も無線通信端末１で受信し、その判別部１８で無線通信端末１自身に対するものか外部接続機器２に対するものかを判別し、外部接続機器２に対するプログラムアップデート通知であることを判別したとき、外部接続機器用プログラムアップデート通知部２０から外部接続機器２へプログラムアップデート通知を送信するようにしたため、周知の手法で外部接続機器２が電源ＯＦＦ状態であっても電源ＯＮ状態にして、外部接続機器２に対するプログラムアップデート処理を行わせることができるようになる。一方、判別部１８が無線通信端末１自身に対するものであると判別した場合は、これまでと同様に端末用プログラムアップデート処理部１９で処理動作を行うことができる。
【産業上の利用可能性】
【００１７】
本発明による無線通信端末を用いた通信システムでは、無線区間をＦＯＭＡ通信とし、またプログラムアップデート通知をショートメールサービス（ＳＭＳ）で行うものとして示しているが、これに限らず他の通信手段を用いても良い。
【図面の簡単な説明】
【００１８】
【図１】本発明の一実施の形態による無線通信端末の使用状態を示す機能ブロック図である。
【図２】図１に示した無線通信端末を使用した通信システムの概略構成を示すブロック図である。
【図３】図１に示した無線通信端末のプログラムアップデート処理を示すフローチャートである。
【符号の説明】
【００１９】
１    無線通信端末
２    外部接続機器
３    インターフェイス手段
４    接続先サーバ
５    インターネット回線
６    無線
１１    アンテナ１１
１２    送信部
１３    受信部
１４    記憶部
１５    表示部
１６    入出力部
１７    制御部
１８    判別部
１９    端末用プログラムアップデート処理部
２０    外部接続機器用プログラムアップデート通知部
２７    外部接続機器用プログラムアップデート処理部
【図１】
2010011013.tif 000003
【図２】
2010011013.tif 000004
【図３】
2010011013.tif 000005